(57)【要約】【課題】  ユーザが撮影したい状況に適した撮影シーンを迅速に探すことのできる撮像装置及びそのプログラムを実現する。【解決手段】  ＢＳ撮影モードに設定されると、被写体のスルー画像表示状態となり、ユーザがＳＥＴキーの操作を行うと、それぞれの撮影シーンに対応したサンプル画像などを単独表示させる詳細画面状態へと切り替わる。そして、詳細画面表示状態でユーザがズームキーのＷｉｄｅキーの操作を行うと、それぞれの撮影シーンに対応するサンプル画像のマルチ画面状態へと切り替わる。ユーザは、詳細画面状態、マルチ画面状態においてサンプル画像を選択することができ、サンプル画像を選択し、ＳＥＴキーの操作を行うと、該選択したサンプル画像に対応する撮影シーンのパラメータを撮影条件として設定し、スルー画像表示状態に戻る。【選択図】  図８
2006203811.tif 000002
【特許請求の範囲】
【請求項１】
複数のサンプル画像を表示手段に同時表示させる表示制御手段と、
前記表示制御手段により前記表示手段に同時表示される複数のサンプル画像のうち何れか１つのサンプル画像を選択する選択手段と、
前記選択手段により選択されたサンプル画像に対応する撮影条件を設定する設定手段と、
を備えたことを特徴とする撮像装置。
【請求項２】
前記選択手段により選択されたサンプル画像を撮影シーンとして決定する決定手段を備え、
前記設定手段は、
前記決定手段により撮影シーンとして決定されたサンプル画像に対応する撮影条件を設定することを特徴とする請求項１記載の撮像装置。
【請求項３】
ユーザが前記選択手段により選択されたサンプル画像を撮影シーンとして指定するための指定手段を備え、
前記決定手段は、
前記指定手段により指定されたサンプル画像を撮影シーンとして決定することを特徴とする請求項２記載の撮像装置。
【請求項４】
前記表示制御手段は、
前記選択手段により選択されたサンプル画像と他のサンプル画像とを差別表示することを特徴とする請求項１乃至３の何れかに記載の撮像装置。
【請求項５】
前記表示制御手段は、
前記選択手段により選択されたサンプル画像のシーン内容を、前記複数のサンプル画像と同時に前記表示手段に表示させることを特徴とする請求項１乃至４の何れかに記載の撮像装置。
【請求項６】
詳細モードとマルチモードとを択一的に選択する表示モード選択手段を備え、
前記表示制御手段は、
前記表示モード選択手段により詳細モードが選択された場合には、サンプル画像を前記表示手段に単独表示させ、前記表示モード選択手段によりマルチモードが選択された場合には、複数のサンプル画像を前記表示手段に同時表示させる手段を含み、
前記選択手段は、
前記表示モード選択手段によりマルチモードが選択された場合には、前記表示制御手段により前記表示手段に同時表示される複数のサンプル画像のうち何れか１つのサンプル画像を選択する第１の選択手段と、
前記表示モード選択手段により詳細モードが選択された場合には、前記表示制御手段により前記表示手段に単独表示させるサンプル画像を複数のサンプル画像の中から選択する第２の選択手段と、
を含むことを特徴とする請求項１乃至５の何れかに記載の撮像装置。
【請求項７】
第１、第２の選択手段のうちどちらの選択手段で、サンプル画像が選択されたかを示す情報をラストメモリする第１の記憶制御手段を備え、
前記表示モード選択手段は、
前記第１の記憶制御手段によりラストメモリされている情報に基づき、表示モードを選択する手段を含むことを特徴とする請求項６記載の撮像装置。
【請求項８】
前記表示モード選択手段は、
ユーザによって選択された表示モードを選択する手段を含むことを特徴とする請求項６又は７記載の撮像装置。
【請求項９】
前記選択手段により選択されたサンプル画像を特定する情報をラストメモリする第２の記憶制御手段を備え、
前記選択手段は、
前記第２の記憶制御手段によりラストメモリされた情報に対応するサンプル画像を選択する手段を含むことを特徴とする請求項１乃至８の何れかに記載の撮像装置。
【請求項１０】
前記選択手段は、
ユーザによって選択されたサンプル画像を選択する手段を含むことを特徴とする請求項１乃至９の何れかに記載の撮像装置。
【請求項１１】
複数のサンプル画像を表示部に同時表示させる処理と、
前記表示部に同時表示された複数のサンプル画像のうち何れか１つのサンプル画像を選択する処理と、
この処理により選択されたサンプル画像に対応する撮影条件を設定する処理と、
を含み、上記各処理をコンピュータで実行させることを特徴とするプログラム。
【発明の詳細な説明】
【技術分野】
【０００１】
本発明は、撮像装置及びそのプログラムに係り、詳しくは、ユーザが撮影したい状況に適した撮影条件を設定することのできる撮像装置及びそのプログラムに関する。
【背景技術】
【０００２】
従来、撮像装置、例えば、デジタルカメラにおいては、絞りやシャッタースピードなどの撮影条件を自動的に設定したり、ユーザが任意に設定することができるようになっている。また、風景や人物撮影などの撮影シーン及びそれぞれの撮影シーンに対応する撮影条件を予め用意しておき、ユーザがこれから撮影しようとする状況に応じて適した撮影シーンを選択することにより、該選択された撮影シーンに対応する撮影条件の設定を行うというデジタルカメラも登場してきている。
【０００３】
また、下記特許文献には、カメラ装置なる発明が開示されている。詳しくは、複数の撮影モードに対応して、装置の撮影条件を特定する複数のパラメータと、その撮影モードに適した被写体の見本となる見本画像を記憶しておき、撮影モード設定時には、撮影しようとする被写体に応じた見本画像を選択させ、見本画像に対応するパラメータに基づき撮影条件の設定を行うことにより、適切な撮影条件を容易に設定することができるというものである。
【０００４】
【特許文献１】公開特許公報  特開２００２−１０１３３（段落「００１９」〜段落「００３１」参照）
【発明の開示】
【発明が解決しようとする課題】
【０００５】
しかしながら、上記特許文献に記載の技術によれば、撮影モードに対応する見本画像を一枚ずつ表示させるため、ユーザが撮影したい状況に適した見本画像を一枚ずつ探していかなければならず、撮影モードの数が多数ある場合には見本画像を探し出すのに時間と手間がかかり、面倒であるという問題点があった。
また、所望の見本画像を探すのに時間がかかり、シャッタチャンスを逃してしまう虞があった。
【０００６】
そこで本発明は、かかる従来の問題点に鑑みてなされたものであり、ユーザが撮影したい状況に適した撮影シーンを迅速に探すことのできる撮像装置及びそのプログラムを提供することを目的とする。
【課題を解決するための手段】
【０００７】
上記目的達成のため、請求項１記載の発明による撮像装置は、複数のサンプル画像を表示手段に同時表示させる表示制御手段と、
前記表示制御手段により前記表示手段に同時表示される複数のサンプル画像のうち何れか１つのサンプル画像を選択する選択手段と、
前記選択手段により選択されたサンプル画像に対応する撮影条件を設定する設定手段と、
を備えたことを特徴とする。
【０００８】
また、例えば、請求項２に記載されているように、前記選択手段により選択されたサンプル画像を撮影シーンとして決定する決定手段を備え、
前記設定手段は、
前記決定手段により撮影シーンとして決定されたサンプル画像に対応する撮影条件を設定するようにしてもよい。
【０００９】
また、例えば、請求項３に記載されているように、ユーザが前記選択手段により選択されたサンプル画像を撮影シーンとして指定するための指定手段を備え、
前記決定手段は、
前記指定手段により指定されたサンプル画像を撮影シーンとして決定するようにしてもよい。
【００１０】
また、例えば、請求項４に記載されているように、前記表示制御手段は、
前記選択手段により選択されたサンプル画像と他のサンプル画像とを差別表示するようにしてもよい。
【００１１】
また、例えば、請求項５に記載されているように、前記表示制御手段は、
前記選択手段により選択されたサンプル画像のシーン内容を、前記複数のサンプル画像と同時に前記表示手段に表示させるようにしてもよい。
【００１２】
また、例えば、請求項６に記載されているように、詳細モードとマルチモードとを択一的に選択する表示モード選択手段
を備え、
前記表示制御手段は、
前記表示モード選択手段により詳細モードが選択された場合には、サンプル画像を前記表示手段に単独表示させ、前記表示モード選択手段によりマルチモードが選択された場合には、複数のサンプル画像を前記表示手段に同時表示させる手段を含み、
前記選択手段は、
前記表示モード選択手段によりマルチモードが選択された場合には、前記表示制御手段により前記表示手段に同時表示される複数のサンプル画像のうち何れか１つのサンプル画像を選択する第１の選択手段と、
前記表示モード選択手段により詳細モードが選択された場合には、前記表示制御手段により前記表示手段に単独表示させるサンプル画像を複数のサンプル画像の中から選択する第２の選択手段と、
を含むようにしてもよい。
【００１３】
また、例えば、請求項７に記載されているように、第１、第２の選択手段のうちどちらの選択手段で、サンプル画像が選択されたかを示す情報をラストメモリする第１の記憶制御手段を備え、
前記表示モード選択手段は、
前記第１の記憶制御手段によりラストメモリされている情報に基づき、表示モードを選択する手段を含むようにしてもよい。
【００１４】
また、例えば、請求項８に記載されているように、前記表示モード選択手段は、
ユーザによって選択された表示モードを選択する手段を含むようにしてもよい。
【００１５】
また、例えば、請求項９に記載されているように、前記選択手段により選択されたサンプル画像を特定する情報をラストメモリする第２の記憶制御手段を備え、
前記選択手段は、
前記第２の記憶制御手段によりラストメモリされた情報に対応するサンプル画像を選択する手段を含むようにしてもよい。
【００１６】
また、例えば、請求項１０に記載されているように、前記選択手段は、
ユーザによって選択されたサンプル画像を選択する手段を含むようにしてもよい。
【００１７】
上記目的達成のため、請求項１１記載の発明によるプログラムは、複数のサンプル画像を表示部に同時表示させる処理と、
前記表示部に同時表示された複数のサンプル画像のうち何れか１つのサンプル画像を選択する処理と、
この処理により選択されたサンプル画像に対応する撮影条件を設定する処理と、
を含み、上記各処理をコンピュータで実行させることを特徴とする。
【発明の効果】
【００１８】
請求項１記載の発明によれば、複数のサンプル画像を表示手段に同時表示させる表示制御手段と、前記表示制御手段により前記表示手段に表示される複数のサンプル画像のうち何れか１つのサンプル画像を選択する選択手段と、前記選択手段により選択されたサンプル画像に対応する撮影条件を設定する設定手段と、を備えるようにしたので、同時表示された複数のサンプル画像の中から１つのサンプル画像を選択することができ、簡単且つ迅速に撮影条件の設定を行うことができる。
【００１９】
請求項２記載の発明によれば、前記選択手段により選択されたサンプル画像を撮影シーンとして決定する決定手段を備え、前記設定手段は、前記決定手段により撮影シーンとして決定されたサンプル画像に対応する撮影条件を設定するようにしたので、同時表示された複数のサンプル画像の中から選択されたサンプル画像を撮影シーンとして決定することができ、簡単且つ迅速に撮影シーンに対応する撮影条件の設定を行うことができる。
【００２０】
請求項３記載の発明によれば、ユーザが前記選択手段により選択されたサンプル画像を撮影シーンとして指定するための指定手段を備え、前記決定手段は、前記指定手段により指定されたサンプル画像を撮影シーンとして決定するようにしたので、ユーザが該選択されたサンプル画像を撮影シーンとして決定するか否かの判断を行うことができ、ユーザが所望する撮影シーンに対応するサンプル画像を撮影シーンとして決定することができる。
【００２１】
請求項４記載の発明によれば、表示制御手段は、選択手段により選択されたサンプル画像と他のサンプル画像とを差別表示するようにしたので、ユーザは現在選択されているサンプル画像がどの画像であるかを容易に認識することができる。
【００２２】
請求項５記載の発明によれば、表示制御手段は、選択手段により選択されたサンプル画像のシーン内容、複数のサンプル画像と同時に表示手段に表示させるようにしたので、ユーザは現在選択されているサンプル画像のシーン内容を容易に認識することができる。
【００２３】
請求項６記載の発明によれば、詳細モードとマルチモードとを択一的に選択する表示モード選択手段を備え、表示制御手段は、前記表示モード選択手段により詳細モードが選択された場合に荷はサンプル画像を表示手段に単独表示させ、前記表示モードが選択手段によりマルチモードが選択された場合には、複数のサンプル画像を前記表示手段に同時表示させる手段を含み、選択手段は、前記表示モード選択手段によりマルチモードが選択された場合には、前記表示制御手段により前記表示手段に同時表示される複数のサンプル画像のうち何れか１つのサンプル画像を選択する第１の選択手段と、前記表示モード選択手段により詳細モードが選択された場合には、前記表示制御手段により前記表示手段に単独表示させるサンプル画像を複数のサンプル画像の中から選択する第２の選択手段を備えるようにしたので、詳細モードの場合には選択されたサンプル画像に対応する撮影シーンの詳細を確認しながらサンプル画像を選択することができ、マルチモードの場合には選択されたサンプル画像及び選択されていない他の撮影シーンに対応するサンプル画像の全体を見ながらサンプル画像を選択することができる。
【００２４】
請求項７記載の発明によれば、第１、第２の選択手段のうちどちらの選択手段で、サンプル画像が選択されたかを示す情報をラストメモリする第１の記憶制御手段を備え、前記表示モード選択手段は、前記第１の記憶制御手段によりラストメモリされている情報に基づき、表示モードを選択する手段を含むようにしたので、前回サンプル画像を決定したときの表示モードでサンプル画像を選択することができる。
【００２５】
請求項８記載の発明によれば、表示モード選択手段は、ユーザによって選択された表示モードを選択する手段を含むようにしたので、ユーザはサンプル画像を詳細モードで表示させるか、マルチモードで表示させるかを選択することができる。
【００２６】
請求項９記載の発明によれば、選択手段により選択されたサンプル画像を特定する情報をラストメモリする第２の記憶制御手段を備え、選択手段は、前記第２の記憶制御手段によりラストメモリされた情報に対応するサンプル画像を選択する手段を含むようにしたので、撮影シーンに対応するサンプル画像を選択するときには、前回決定されたサンプル画像を選択することができる。
【００２７】
請求項１０記載の発明によれば、選択手段は、ユーザによって選択されたサンプル画像を選択する手段を含むようにしたので、ユーザはマルチ画面表示されたサンプル画像の中から撮影状況に適した撮影シーンに対応するサンプル画像を選択することができ、簡単且つ迅速に所望する撮影シーンの設定を行うことができる。
【００２８】
請求項１１記載の発明によれば、デジタルカメラ、パソコン等に読み込ませることにより、本発明の撮像装置を実現することができる。
【発明を実施するための最良の形態】
【００２９】
以下、本実施の形態について、図面を参照して詳細に説明する。
[実施の形態]
Ａ．デジタルカメラの構成
図１は、本発明の撮像装置を実現するデジタルカメラ１の電気的な概略構成を示すブロック図である。
デジタルカメラ１は、撮影レンズ２、レンズ駆動ブロック３、絞り兼用シャッタ４、ＣＣＤ５、ＴＧ（timing generator）６、ユニット回路７、ＤＲＡＭ８、ＲＯＭ９、メモリ１０、ＣＰＵ１１、フラッシュメモリ１２、画像表示部１３、キー入力部１４、ストロボ駆動部１５、ストロボ発光部１６、カードＩ／Ｆ１７を備えており、カードＩ／Ｆ１７には、図示しないデジタルカメラ１本体のカードスロットに着脱自在に装着されたメモリ・カード１８が接続されている。
【００３０】
撮影レンズ２は、図示しないフォーカスレンズ、ズームレンズを含み、レンズ駆動ブロック３が接続されている。レンズ駆動ブロック３は、図示しないフォーカスレンズ、ズームレンズをそれぞれ光軸方向に駆動させるモータと、ＣＰＵ１１からの制御信号にしたがってフォーカスモータ、ズームモータをそれぞれ光軸方向に駆動させるフォーカスモータドライバ、ズームモータドライバから構成されている。
【００３１】
絞り兼用シャッタ４は、図示しない駆動回路を含み、駆動回路はＣＰＵ１１から送られてくる制御信号にしたがって絞り兼用シャッタを動作させる。この絞り兼用シャッタは、絞りとシャッタとして機能する。
絞りとは、撮影レンズ２から入ってくる光の量を制御する機構のことをいい、シャッタとは、ＣＣＤ５に光を当てる時間を制御する機構のことをいい、ＣＣＤ５に光を当てる時間は、シャッタの開閉の速度（シャッタ速度）によって変わってくる。露出は、この絞りとシャッタ速度によって定めることができる。
【００３２】
ＣＣＤ５は、撮影レンズ２、絞り兼用シャッタ４を介して投影された被写体の光を電気信号に変換し、撮像信号としてユニット回路７に出力する。また、ＣＣＤ５は、ＴＧ６によって生成された所定周波数のタイミング信号にしたがって駆動する。ＴＧ６にはユニット回路７が接続されている。
ユニット回路７は、ＣＣＤ５から出力される撮像信号を相関二重サンプリングして保持するＣＤＳ（Correlated Double Sampling）回路、そのサンプリング後の撮像信号の自動利得調整を行うＡＧＣ（Automatic Gain Control）回路、その自動利得調整後のアナログの撮像信号をデジタル信号に変換するＡ／Ｄ変換器から構成されており、ＣＣＤ５の撮像信号は、ユニット回路７を経てデジタル信号としてＣＰＵ１１に送られる。
【００３３】
ＣＰＵ１１は、ユニット回路７から送られてきた画像データの画像処理（画素補間処理、γ補正、輝度色差信号の生成、ホワイトバランス処理、露出補正処理等）、画像データの圧縮・伸張（例えば、ＪＰＥＧ形式やＭＰＥＧ形式の圧縮・伸張）の処理などを行う機能を有するとともに、デジタルカメラ１の各部を制御するワンチップマイコンである。
【００３４】
ＤＲＡＭ８は、ＣＣＤ５によって撮像された後、ＣＰＵ１１に送られてきた画像データを一時記憶するバッファメモリとして使用されるとともに、ＣＰＵ１１のワーキングメモリとして使用される。
フラッシュメモリ１２やメモリ・カード１８は、ＣＣＤ５によって撮像された画像データなどを保存しておく記録媒体である。なお、本実施例では、画像データの書き込み（記録）は、専らフラッシュメモリ１２を用いて説明しているが、ユーザのキー入力部１４の操作により、画像データをフラッシュメモリ１２に記録するか、メモリ・カード１８に記録するかを選択することができる。
【００３５】
画像表示部１３は、カラーＬＣＤとその駆動回路を含み、撮影待機状態にあるときには、ＣＣＤ５によって撮像された被写体をスルー画像として表示し、記録画像の再生時には、保存用フラッシュメモリ１２やメモリ・カード１８から読み出され、伸張された記録画像を表示させる。この画像表示部１２は、本発明の表示手段に相当する。
キー入力部１４は、ＢＳ（ベストショット）キー、シャッタボタン、ＳＥＴキー、十字キー、ズームキー（Ｔｅｌｅキー、Ｗｉｄｅキーを有する）等の複数の操作キーを含み、ユーザのキー操作に応じた操作信号をＣＰＵ１１に出力する。このキー入力部１４は、本発明の指定手段として機能する。
【００３６】
ストロボ駆動部１５は、ＣＰＵ１１の制御信号にしたがって、ストロボ発光部１６を閃光駆動させ、ストロボ発光部１６はストロボを閃光させる。ＣＰＵ１１は、ＣＣＤ５の出力信号又は図示しない測光回路によって撮影シーンが暗いか否かを判断し、撮影シーンが暗いと判断し、且つ、撮影を行うと判断した場合（シャッタボタン押下時）には、ストロボ駆動部１５に制御信号を送る。
【００３７】
ＲＯＭ９には、ＣＰＵ１１によるデジタルカメラ1の各部の制御に必要なプログラム、及び各部の制御に必要なデータが記録されており、ＣＰＵ１１は、ＲＯＭ９に記録されているプログラムに従うことにより本発明の表示制御手段、選択手段、決定手段、設定手段、表示モード選択手段、第１の記憶制御手段、第２の記憶制御手段として機能する。
また、ＲＯＭ９には、図２に示すようにそれぞれの撮影シーンに対応する撮影条件のパラメータを示した撮影パラメータデータ１０１、図３に示すようなそれぞれの撮影シーンに対応する付加情報を示した付加情報データ１０２及び図４に示すようなそれぞれの撮影シーンに対応するサンプル画像１０３を構成する画像データが格納されている。
【００３８】
撮影パラメータデータ１０１は、後述するベストショット撮影モードにおいて選択可能な撮影シーンに対応するデジタルカメラ１の撮影条件のパラメータを示したものであり、フォーカス制御、シャッタ速度、絞り、ＥＶシフト量などの制御項目の内容を示すパラメータにより構成されている。
付加情報データ１０２は、それぞれの撮影シーンに対応して記録されている付加情報であり、詳しくは、「風景と人物を写します」といったシーン内容、「ズームを使うとキレイに写ります」といったアドバイス情報、「マクロモードになり、彩度が高めに設定されます」といった制御説明の３種類のコメント情報により構成されている。
【００３９】
サンプル画像１０３は、上記撮影パラメータデータ１０１、付加情報データ１０２とともに、撮影シーンに対応して記録されているとともに、各撮影シーンの撮影条件で撮影したときのサンプル画像を示すものである。図４（ａ）は、撮影シーン番号「１」（人物と風景１）に対応しており、図４（ｂ）は、撮影シーン番号「２」（人物と風景２）に対応しており、図４（ｃ）は、撮影シーン番号「３」（アップ）に対応しているものである。
【００４０】
また、メモリ１０は、後述するユーザによって何れか１つのサンプル画像が選択され、且つ、ＳＥＴキーの操作が行われた場合に、該選択されたサンプル画像を特定するための情報及びサンプル画像が選択されたときの表示モード（詳細モード、マルチモード）を示す情報を記憶するための記憶領域Ａと、サンプル画像に対応する撮影シーンの撮影条件を記憶しておく記録領域Ｂを有している。
【００４１】
Ｂ．デジタルカメラ１の動作
第１の実施の形態におけるデジタルカメラ１の動作を図５乃至図７のフローチャート及び画像表示部１３に表示される画面の様子を示した図８にしたがって説明する。
まず、ＣＰＵ１１は、ユーザのキー入力部１４のＢＳキーの操作が行われるとベストショット撮影モードを設定し、ＣＣＤ５による被写体の撮像を開始させ、ＣＣＤ５によって撮像された被写体の画像データに対して画像処理を施してバッファメモリ（ＤＲＡＭ８）に記憶し、該記憶した画像データの画像を画像表示部１３に表示させるという、いわゆるスルー画像表示の開始を行なう（ステップＳ１）。
【００４２】
次いで、メモリ１０の記憶領域Ａに記憶されているサンプル画像を特定する情報に基づいてＲＯＭ９に記録されている画像データの中から１つのサンプル画像を選択し、且つ、該選択したサンプル画像に対応する撮影シーンの撮影条件を撮影パラメータデータ１０１から取得しメモリ１０の記憶領域Ｂに記憶させる、つまり、撮影条件の設定を行う。（ステップＳ２）。ここで、メモリ１０にサンプル画像を特定する情報が記憶されていない場合には、撮影シーン番号「１」に対応するサンプル画像を選択する。なお、ここでは、撮影シーン番号「１２」に対応するサンプル画像を選択したものとする。
【００４３】
次いで、ＣＰＵ１１は、該選択したサンプル画像を読み出し、該読み出したサンプル画像及びガイダンスを被写体のスルー画像とともに一定時間（例えば、２秒）表示させる（ステップＳ３）。
図８の（ａ）は、該選択したサンプル画像１０３及び「ＳＥＴでシーン選択」というガイダンスが被写体のスルー画像とともに画像表示部１３に表示されているときの様子を示すものである。そして、２秒間経過すると、図８（ｂ）に示すように被写体のスルー画像のみが表示されている状態になる。
【００４４】
次いで、ＣＰＵ１１は、ユーザによってＳＥＴキーの操作が行われた否かの判断を行う（ステップＳ４）。この判断は、キー入力部１４からＳＥＴキーの操作に対応する操作信号が送られてきたか否かにより判断を行う。ここで、ユーザがＳＥＴキーの操作を行うと、撮影シーンを選択することができる表示モードへと切り替わる。この撮影シーンを選択することができる表示モードとして、詳細モードとマルチモードとの２つがある。以下、この詳細モードとマルチモードについて説明を行う。
【００４５】
ステップＳ４で、ＳＥＴキーの操作が行われたと判断すると、ステップＳ５に進み、ＣＰＵ１１は、メモリ１０の記憶領域Ａにサンプル画像が詳細モードで選択されたことを示す情報が記憶されているか否かの判断を行う。
ステップＳ５で、詳細モードであることを示す情報がメモリ１０の記憶領域Ａに記憶されていると判断すると、図６のステップＳ７に進み、詳細モードを示す情報が記憶されていないと判断すると、ステップＳ６に進み、マルチモードを示す情報がメモリ１０に記憶されているか否かを判断する。
【００４６】
ステップＳ６で、マルチモードを示す情報がメモリ１０に記憶されていると判断すると図７のステップＳ１５に進み、マルチモードを示す情報もメモリ１０に記憶されていないと判断すると、図６のステップＳ７に進む。
図６のステップＳ７に進むと、ＣＰＵ１１は、現在選択されているサンプル画像に対応する撮影シーンの詳細を画像表示部１３に表示させる。ここで、選択されているサンプル画像に対応する撮影シーンの詳細とは、該選択されているサンプル画像の他に、メモリ９の付加情報データに記録されている撮影シーンのシーン内容、アドバイス情報、制御説明などのことをいう。
【００４７】
図８（ｃ）は、該選択されているサンプル画像に対応する撮影シーンの詳細を画像表示部１３に表示させたときの様子を示すものである。
ここでは、撮影シーン番号「１２」に対応するサンプル画像が選択されているので、該選択されているサンプル画像の他に、撮影シーン「１２」のシーン内容を示す「夕日を写します」という文章と、制御説明である「フォーカスが∞、フィルターが赤に設定されます」という文章が表示されている。なお、撮影シーン「１２」には、アドバイス情報がないのでアドバイス情報は表示されていないが、アドバイス情報がある場合にはアドバイス情報を表示させる。
【００４８】
次いで、ＣＰＵ１１は、ユーザによってサンプル画像の選択が行われたか否かを判断する（ステップＳ８）。この判断は、キー入力部１４から十字キーの操作に対応する操作信号が送られてきたか否かにより判断する。
ステップＳ８で、サンプル画像の選択が行われたと判断すると、ＣＰＵ１１は、ユーザの十字キーの操作に従って（キー入力部１４から送られてきた操作信号にしたがって）新たなサンプル画像を選択して（ステップＳ９）、ステップＳ７に戻り、該選択したサンプル画像に対応する撮影シーンの詳細を表示させる。
【００４９】
ここで、ユーザは図８（ｃ）に示すような状態で、十字キーの操作をすることによりサンプル画像を選択することができる。例えば、十字キーの「→」を操作すると、現在選択しているサンプル画像から次のサンプル画像、つまり、現在選択されているサンプル画像が撮影シーン番号「１２」の場合には、撮影シーン番号「１３」のサンプル画像を選択することができる。また、十字キーの「←」を操作すると、現在選択されているサンプル画像から１つ前のサンプル画像、つまり、現在選択しているサンプル画像が撮影シーン番号「１２」の場合には、撮影シーン番号「１１」のサンプル画像を選択することができる。つまり、「←」キーを操作すると選択されるサンプル画像の撮影シーンが降順し、「→」キーを操作すると選択されるサンプル画像の撮影シーンが昇順する。
【００５０】
一方、ステップＳ８で、サンプル画像の選択が行われていないと判断すると、ＣＰＵ１１は、ＳＥＴキーの操作が行われたか否かの判断を行う（ステップＳ１０）。
ステップＳ１０で、ＳＥＴキーの操作が行われたと判断すると、ステップＳ１１に進み、ＣＰＵ１１は、現在選択されているサンプル画像を特定する情報及び詳細モードであることを示す情報をメモリ１０の記憶領域Ａに記憶させる。つまり、ラストメモリさせる。これにより、次回、ＢＳ撮影モードにおいて被写体を撮影するときには、前回撮影した撮影シーンに対応するサンプル画像が選択され、また、該サンプル画像を選択したときの表示モードでサンプル画像を選択することができる。なお、既に、メモリ１０にサンプル画像を特定する情報及び表示モードを示す情報が記憶されているときには上書きして記憶させるようにしてもよいし、上書きせずに履歴として残しておくようにしてもよい。
【００５１】
次いで、ステップＳ１２で、ＣＰＵ１１は、該選択したサンプル画像に対応する撮影シーンの撮影条件を撮影パラメータデータ１０１から取得し、メモリ１０の記憶領域Ｂに上書きする
次いで、ＣＰＵ１１は、被写体のスルー画像表示を開始して（ステップＳ１３）、図５のステップＳ４に戻る。
一方、ステップＳ１０で、ＳＥＴキーの操作が行われていないと判断すると、ＣＰＵ１１は、ズームキーのＷｉｄｅキーが操作されたか否かの判断を行う（ステップＳ１４）この判断は、キー入力部１４からＷｉｄｅキーの操作に対応する操作信号が送られてきたか否かにより判断する。
【００５２】
ステップＳ１４で、Ｗｉｄｅキーの操作が行われていないと判断すると、ステップＳ８に戻り、ステップＳ１４で、Ｗｉｄｅキーの操作が行われたと判断すると、図７のステップＳ１５に進む。
図７のステップＳ１５に進むと、ＣＰＵ１１は、現在選択されているサンプル画像の属する組のサンプル画像のマルチ画面を画像表示部１３に表示させる。この現在選択されているサンプル画像の属する組とは、撮影シーン番号「１」から撮影シーン番号「１２」までのサンプル画像を１組とし、撮影シーン番号「１３」から撮影シーン番号「２４」までのサンプル画像を１組とするように、１２枚のサンプル画像毎に組分けがされている。したがって、現在撮影シーン番号「１２」のサンプル画像が選択されているので、表示されるマルチ画面のサンプル画像は、撮影シーン番号「１」から撮影シーン番号「１２」までのサンプル画像となる。
【００５３】
図８（ｄ）は、そのときの様子を示すものである。図８には、１２枚のサンプル画像が表示されており、サンプル画像の中に表示されている番号（１、２、・・・、１２）は、それぞれの撮影シーン番号のサンプル画像であることを示している。つまり、番号１のサンプル画像は、撮影シーン番号「１」に対応するサンプル画像であることを示している。
【００５４】
次いで、ＣＰＵ１１は、現在選択されているサンプル画像の差別表示を行うとともに選択されているサンプル画像に対応する撮影シーンのシーン内容を表示させる（ステップＳ１６）。ここでは、現在選択されているサンプル画像は、撮影シーン番号「１２」に対応するサンプル画像が選択されているので、１２番のサンプル画像が太枠で表示され（カーソル選択され）、撮影シーン番号１２のシーン内容である「夕日を写します」という文章がマルチ画面の下の方に表示されているのがわかる。また、例えば、番号３のサンプル画像が選択されている場合には、番号３のサンプル画像がカーソル選択され、マルチ画面の下の方に、そのシーン内容である「アップを写します」という文章が表示される。
【００５５】
次いで、ＣＰＵ１１は、ユーザによってサンプル画像の選択が行われたか否かの判断を行う（ステップＳ１７）。この判断は、キー入力部１４から十字キーの操作に対応する操作信号が送られてきたか否かにより判断する。
ステップＳ１７で、サンプル画像の選択が行われたと判断すると、ＣＰＵ１１は、ユーザの十字キーの操作にしたがって新たなサンプル画像を選択して（ステップＳ１８）、ステップＳ１５に戻り、現在選択されているサンプル画像の属する組のサンプル画像のマルチ画面表示を行い、ステップＳ１６で、該選択したサンプル画像を差別表示するとともに、シーン内容を表示させる。
【００５６】
ここで、ユーザは、十字キーの操作を行うことによりサンプル画像の選択を行うことができる。例えば、１２番のサンプル画像が選択されている状態で、十字キーの「↑」の操作を行うと、選択されるサンプル画像は、８番→４番と切り替わる。また、１２番のサンプル画像が選択されている状態で、十字キーの「←」を操作すると、選択されるサンプル画像は、１１番→１０番→９番、そして、８番というように番号が降順する。
【００５７】
また、これとは逆に、１２番のサンプル画像が選択されている状態で、「→」の操作を行うと、図９に示すように１３番から２４番のサンプル画像のマルチ画面に切り替わり、選択されるサンプル画像は、１３番のサンプル画像となる。また、１２番のサンプル画像が選択されている状態で、「↓」の操作を行うと、図９に示すように１３番から２４番までのサンプル画像のマルチ画面に切り替わり、選択されるサンプル画像は１６番となる。
【００５８】
一方、ステップＳ１７で、サンプル画像の選択が行われていないと判断すると、ＣＰＵ１１は、ＳＥＴキーの操作が行われたか否かの判断を行う（ステップ１９）。
ステップＳ１９で、ＳＥＴキーの操作が行われたと判断すると、ステップＳ２０に進み、ＣＰＵ１１は、現在選択されているサンプル画像を特定する情報及びマルチモードであることを示す情報をメモリ１０の記憶領域Ａに記憶させる。つまり、ラストメモリさせる。これにより、次回、ＢＳ撮影モードにおいて被写体を撮影するときには、前回撮影した撮影シーンに対応するサンプル画像が選択され、また、該サンプル画像が選択したときの表示モードで表示されることとなる。なお、既に、メモリ１０にサンプル画像を特定する情報及び表示モードを示す情報が記憶されているときには上書きして記憶させるようにしてもよいし、上書きせずに履歴として残しておくようにしてもよい。
【００５９】
次いで、ステップＳ２１で、ＣＰＵ１１は、該選択したサンプル画像１０３に対応する撮影シーンの撮影条件を撮影パラメータデータ１０１から取得し、メモリ１０の記憶領域Ｂに上書きする。
次いで、ＣＰＵ１１は、被写体のスルー画像表示を開始して（ステップＳ２２）、図５のステップＳ４に戻る。
【００６０】
一方、ステップＳ１９で、ＣＰＵ１１は、ＳＥＴキーの操作が行われていないと判断すると、ズームキーのＴｅｌｅキーの操作が行われたか否かの判断を行う（ステップＳ２３）。この判断は、キー入力部１４からズームキーのＴｅｌｅキーの操作に対応する操作信号が送られてきたか否かにより判断する。
ステップＳ２３で、Ｔｅｌｅキーの操作が行われていないと判断するとステップＳ１７に戻り、ステップＳ２３で、Ｔｅｌｅキーの操作が行われたと判断すると、図６のステップＳ７に戻る（図８（ｃ）に示すように詳細モードに戻る）。
【００６１】
一方、図５のステップＳ４で、ＳＥＴキーの操作が行われていないと判断すると、ＣＰＵ１１は、ユーザによってシャッタボタンが押下されたか否かの判断を行う（ステップＳ２４）。この判断は、キー入力部１４からシャッタボタン押下に対応する操作信号が送られてきたか否かにより判断を行う。
ステップＳ２４で、シャッタボタンが押下されていないと判断すると、ステップＳ４に戻り、ステップＳ２４で、シャッタボタンが押下されたと判断すると、ステップＳ２５に進む。
ステップＳ２５に進むと、メモリ１０の記憶領域Ｂに記憶されている撮影条件下で静止画撮影処理を行い、該撮影処理により得られた画像データをフラッシュメモリ１２に記録する。
次いで、ＣＰＵ１１は、被写体のスルー画像の表示を開始を行って（ステップ２６）、ステップＳ４に戻り、上記した動作を繰り返す。
【００６２】
以上のように、実施の形態においては、撮影シーンのサンプル画像を単独表示させる詳細モードと撮影シーンのサンプル画像をマルチモードの２つのモードを設けるようにしたので、ユーザは、その時々に選択しやすい表示モードで撮影シーンを選択することができる。
また、複数のサンプル画像をマルチ画面表示させるので、撮影シーンが多い場合にでも簡単且つ迅速に撮影シーンの選択を行うことができる。
【００６３】
また、上記実施の形態におけるデジタルカメラ１は、上記の実施の形態に限定されるものではなく、カメラ付き携帯電話、カメラ付きＰＤＡ、カメラ付きパソコン、カメラ付きＩＣレコーダ、又はデジタルビデオカメラ等でもよく、要は被写体を撮影することができる機器であれば何でもよい。
【図面の簡単な説明】
【００６４】
【図１】本発明の実施の形態のデジタルカメラのブロック図である。
【図２】ＲＯＭ９に格納されている撮影パラメータデータ１０１の様子を示す図である。
【図３】ＲＯＭ９に格納されている付加情報データ１０２の様子を示す図である。
【図４】ＲＯＭ９に格納されているサンプル画像データ１０３を構成する画像データの様子を示す図である。
【図５】本発明の実施の形態のデジタルカメラの動作を示すフローチャートである。
【図６】本発明の実施の形態のデジタルカメラの動作を示すフローチャートである。
【図７】本発明の実施の形態のデジタルカメラの動作を示すフローチャートである。
【図８】ＢＳ撮影モードにおいて画像表示部１３に表示される画面の様子を示すものである。
【図９】マルチ画面表示状態でサンプル画像を選択したときの画像表示部１３に表示されるマルチ画面の様子を示す図である。
【符号の説明】
【００６５】
１      デジタルカメラ
２      撮影レンズ
３      レンズ駆動ブロック
４      絞り兼用シャッタ
５      ＣＣＤ
６      ＴＧ
７      ユニット回路
８      ＤＲＡＭ
９      ＲＯＭ
１０    メモリ
１１    ＣＰＵ
１２    フラッシュメモリ
１３    画像表示部
１４    キー入力部
１５    ストロボ駆動部
１６    ストロボ発光部
１７    カードＩ／Ｆ
１８    メモリ・カード
【図１】
2006203811.tif 000003
【図２】
2006203811.tif 000004
【図３】
2006203811.tif 000005
【図４】
2006203811.tif 000006
【図５】
2006203811.tif 000007
【図６】
2006203811.tif 000008
【図７】
2006203811.tif 000009
【図８】
2006203811.tif 000010
【図９】
2006203811.tif 000011